(57)【要約】  本発明は、ページングメッセージの送信方法及び装置、コンピュータ記憶媒体を開示する。前記方法は、ネットワークが、ページング構成パラメータに基づいて、ページングメッセージの最大ページングＵＥ数量を決定し、前記ページング構成パラメータが、ページングタイムユニットの構成情報と、ページングタイムユニットに対応する最大ページングＵＥ数量情報とを含み、ここで、前記ページングタイムユニットが、少なくとも、第１タイプのページングタイムユニットと、第２タイプのページングタイムユニットとを含み、各タイプのページングタイムユニットがそれぞれ、各々の最大ページングＵＥ数量に対応することと、前記ネットワークが、前記ページング構成パラメータに基づいてページングメッセージを送信することと、を含む。
2021511693.tif 000002
【特許請求の範囲】
【請求項１】
ページングメッセージの送信方法であって、
ネットワークが、ページング構成パラメータに基づいて、ページングメッセージの最大ページングＵＥ数量を決定し、前記ページング構成パラメータが、ページングタイムユニットの構成情報と、ページングタイムユニットに対応する最大ページングＵＥ数量情報とを含み、ここで、前記ページングタイムユニットが、少なくとも、第１タイプのページングタイムユニットと、第２タイプのページングタイムユニットとを含み、各タイプのページングタイムユニットがそれぞれ、各々の最大ページングＵＥ数量に対応することと、
前記ネットワークが、前記ページング構成パラメータに基づいてページングメッセージを送信することと、を含む、前記方法。
【請求項２】
前記第１タイプのページングタイムユニットと前記第２タイプのページングタイムユニットとに対応する最大ページングＵＥ数量は異なることを特徴とする
請求項１に記載の方法。
【請求項３】
前記第１タイプのページングタイムユニットは、第１時間周波数リソースタイプに対応し、前記第２タイプのページングタイムユニットは、第２時間周波数リソースタイプに対応することを特徴とする
請求項１に記載の方法。
【請求項４】
前記第１時間周波数リソースタイプに対応する時間周波数リソースの大きさは、前記第２時間周波数リソースタイプに対応する時間周波数リソースの大きさと異なるか、
及び／又は、
前記第１時間周波数リソースタイプとＳＳ  ｂｌｏｃｋの時間周波数リソースとの多重化方式は、前記第２時間周波数リソースタイプとＳＳ  ｂｌｏｃｋの時間周波数リソースとの多重化方式と異なることを特徴とする
請求項３に記載の方法。
【請求項５】
前記第１タイプのページングタイムユニットが第１時間周波数リソースタイプに対応することは、
ＳＳ  ｂｌｏｃｋを送信する名目リソース（ｎｏｍｉｎａｌ  ｒｅｓｏｕｒｃｅ）の所在するシンボルにおいて、第１タイプのページングタイムユニットに対応する時間周波数リソースが前記ｎｏｍｉｎａｌ  ｒｅｓｏｕｒｃｅと周波数分割されることを含むことを特徴とする
請求項３又は４に記載の方法。
【請求項６】
前記第２タイプのページングタイムユニットが第２時間周波数リソースタイプに対応することは、
ＳＳ  ｂｌｏｃｋを送信しないｎｏｍｉｎａｌ  ｒｅｓｏｕｒｃｅの所在するシンボルにおいて、第２タイプのページングタイムユニットに対応する時間周波数リソースが、前記ｎｏｍｉｎａｌ  ｒｅｓｏｕｒｃｅの所在する時間周波数リソースを含んでもよいことを含むことを特徴とする
請求項３又は４に記載の方法。
【請求項７】
前記ページングタイムユニットは、ページング時点（ＰＯ）、又はＰＯにおける一部のタイムユニットを含むことを特徴とする
請求項１から６のいずれか一項に記載の方法。
【請求項８】
ページングメッセージ受信方法であって、
端末が、ネットワークによりページング構成パラメータに基づいて送信されたページングメッセージを受信し、ここで、前記ページング構成パラメータが、ページングメッセージの最大ページングＵＥ数量を決定するためのものであり、前記ページング構成パラメータが、ページングタイムユニットの構成情報と、ページングタイムユニットに対応する最大ページングＵＥ数量情報とを含み、ここで、前記ページングタイムユニットが、少なくとも、第１タイプのページングタイムユニットと、第２タイプのページングタイムユニットとを含み、各タイプのページングタイムユニットがそれぞれ、各々の最大ページングＵＥ数量に対応することを含む、前記方法。
【請求項９】
前記第１タイプのページングタイムユニットと前記第２タイプのページングタイムユニットとに対応する最大ページングＵＥ数量は異なることを特徴とする
請求項８に記載の方法。
【請求項１０】
前記第１タイプのページングタイムユニットは、第１時間周波数リソースタイプに対応し、前記第２タイプのページングタイムユニットは、第２時間周波数リソースタイプに対応することを特徴とする
請求項８に記載の方法。
【請求項１１】
前記第１時間周波数リソースタイプに対応する時間周波数リソースの大きさは、前記第２時間周波数リソースタイプに対応する時間周波数リソースの大きさと異なるか、
及び／又は、
前記第１時間周波数リソースタイプとＳＳ  ｂｌｏｃｋの時間周波数リソースとの多重化方式は、前記第２時間周波数リソースタイプとＳＳ  ｂｌｏｃｋの時間周波数リソースとの多重化方式と異なることを特徴とする
請求項１０に記載の方法。
【請求項１２】
前記第１タイプのページングタイムユニットが第１時間周波数リソースタイプに対応することは、
ＳＳ  ｂｌｏｃｋを送信するｎｏｍｉｎａｌ  ｒｅｓｏｕｒｃｅの所在するシンボルにおいて、第１タイプのページングタイムユニットに対応する時間周波数リソースが前記ｎｏｍｉｎａｌ  ｒｅｓｏｕｒｃｅと周波数分割されることを含むことを特徴とする
請求項１０又は１１に記載の方法。
【請求項１３】
前記第２タイプのページングタイムユニットが第２時間周波数リソースタイプに対応することは、
ＳＳ  ｂｌｏｃｋを送信しないｎｏｍｉｎａｌ  ｒｅｓｏｕｒｃｅの所在するシンボルにおいて、第２タイプのページングタイムユニットに対応する時間周波数リソースが、前記ｎｏｍｉｎａｌ  ｒｅｓｏｕｒｃｅの所在する時間周波数リソースを含んでもよいことを含むことを特徴とする
請求項１０又は１１に記載の方法。
【請求項１４】
前記ページングタイムユニットは、ＰＯ、又はＰＯにおける一部のタイムユニットを含むことを特徴とする
請求項８から１３のいずれか一項に記載の方法。
【請求項１５】
ページングメッセージの送信装置であって、
ページング構成パラメータに基づいて、ページングメッセージの最大ページングＵＥ数量を決定するように構成され、前記ページング構成パラメータが、ページングタイムユニットの構成情報と、ページングタイムユニットに対応する最大ページングＵＥ数量情報とを含み、ここで、前記ページングタイムユニットが、少なくとも、第１タイプのページングタイムユニットと、第２タイプのページングタイムユニットとを含み、各タイプのページングタイムユニットがそれぞれ、各々の最大ページングＵＥ数量に対応する決定ユニットと、
前記ページング構成パラメータに基づいてページングメッセージを送信するように構成される送信ユニットとを備える、前記装置。
【請求項１６】
前記第１タイプのページングタイムユニットと前記第２タイプのページングタイムユニットとに対応する最大ページングＵＥ数量は異なることを特徴とする
請求項１５に記載の装置。
【請求項１７】
前記第１タイプのページングタイムユニットは、第１時間周波数リソースタイプに対応し、前記第２タイプのページングタイムユニットは、第２時間周波数リソースタイプに対応することを特徴とする
請求項１５に記載の装置。
【請求項１８】
前記第１時間周波数リソースタイプに対応する時間周波数リソースの大きさは、前記第２時間周波数リソースタイプに対応する時間周波数リソースの大きさと異なるか、
及び／又は、
前記第１時間周波数リソースタイプとＳＳ  ｂｌｏｃｋの時間周波数リソースとの多重化方式は、前記第２時間周波数リソースタイプとＳＳ  ｂｌｏｃｋの時間周波数リソースとの多重化方式と異なることを特徴とする
請求項１７に記載の装置。
【請求項１９】
前記第１タイプのページングタイムユニットが第１時間周波数リソースタイプに対応することは、
ＳＳ  ｂｌｏｃｋを送信する名目リソース（ｎｏｍｉｎａｌ  ｒｅｓｏｕｒｃｅ）の所在するシンボルにおいて、第１タイプのページングタイムユニットに対応する時間周波数リソースが前記ｎｏｍｉｎａｌ  ｒｅｓｏｕｒｃｅと周波数分割されることを含むことを特徴とする
請求項１７又は１８に記載の装置。
【請求項２０】
前記第２タイプのページングタイムユニットが第２時間周波数リソースタイプに対応することは、
ＳＳ  ｂｌｏｃｋを送信しないｎｏｍｉｎａｌ  ｒｅｓｏｕｒｃｅの所在するシンボルにおいて、第２タイプのページングタイムユニットに対応する時間周波数リソースが、前記ｎｏｍｉｎａｌ  ｒｅｓｏｕｒｃｅの所在する時間周波数リソースを含んでもよいことを含むことを特徴とする
請求項１７又は１８に記載の装置。
【請求項２１】
前記ページングタイムユニットは、ページング時点（ＰＯ）、又はＰＯにおける一部のタイムユニットを含むことを特徴とする
請求項１５から２０のいずれか一項に記載の装置。
【請求項２２】
ページングメッセージの送信装置であって、
ネットワークによりページング構成パラメータに基づいて送信されたページングメッセージを受信するように構成され、ここで、前記ページング構成パラメータが、ページングメッセージの最大ページングＵＥ数量を決定するためのものであり、前記ページング構成パラメータが、ページングタイムユニットの構成情報と、ページングタイムユニットに対応する最大ページングＵＥ数量情報とを含み、ここで、前記ページングタイムユニットが、少なくとも、第１タイプのページングタイムユニットと、第２タイプのページングタイムユニットとを含み、各タイプのページングタイムユニットがそれぞれ、各々の最大ページングＵＥ数量に対応する受信ユニットを備える、前記装置。
【請求項２３】
前記第１タイプのページングタイムユニットと前記第２タイプのページングタイムユニットとに対応する最大ページングＵＥ数量は異なることを特徴とする
請求項２２に記載の装置。
【請求項２４】
前記第１タイプのページングタイムユニットは、第１時間周波数リソースタイプに対応し、前記第２タイプのページングタイムユニットは、第２時間周波数リソースタイプに対応することを特徴とする
請求項２２に記載の装置。
【請求項２５】
前記第１時間周波数リソースタイプに対応する時間周波数リソースの大きさは、前記第２時間周波数リソースタイプに対応する時間周波数リソースの大きさと異なるか、
及び／又は、
前記第１時間周波数リソースタイプとＳＳ  ｂｌｏｃｋの時間周波数リソースとの多重化方式は、前記第２時間周波数リソースタイプとＳＳ  ｂｌｏｃｋの時間周波数リソースとの多重化方式と異なることを特徴とする
請求項２４に記載の装置。
【請求項２６】
前記第１タイプのページングタイムユニットが第１時間周波数リソースタイプに対応することは、
ＳＳ  ｂｌｏｃｋを送信するｎｏｍｉｎａｌ  ｒｅｓｏｕｒｃｅの所在するシンボルにおいて、第１タイプのページングタイムユニットに対応する時間周波数リソースが前記ｎｏｍｉｎａｌ  ｒｅｓｏｕｒｃｅと周波数分割されることを含むことを特徴とする
請求項２４又は２５に記載の装置。
【請求項２７】
前記第２タイプのページングタイムユニットが第２時間周波数リソースタイプに対応することは、
ＳＳ  ｂｌｏｃｋを送信しないｎｏｍｉｎａｌ  ｒｅｓｏｕｒｃｅの所在するシンボルにおいて、第２タイプのページングタイムユニットに対応する時間周波数リソースが、前記ｎｏｍｉｎａｌ  ｒｅｓｏｕｒｃｅの所在する時間周波数リソースを含んでもよいことを含むことを特徴とする
請求項２４又は２５に記載の装置。
【請求項２８】
前記ページングタイムユニットは、ＰＯ、又はＰＯにおける一部のタイムユニットを含むことを特徴とする
請求項２２から２７のいずれか一項に記載の装置。
【請求項２９】
コンピュータ記憶媒体であって、コンピュータによる実行可能な命令が記憶されており、該コンピュータによる実行可能な命令がプロセッサにより実行される時、請求項１から７のいずれか一項に記載の方法の工程、又は請求項８から１４のいずれか一項に記載の方法の工程を実現させる、前記コンピュータ記憶媒体。
【発明の詳細な説明】
【技術分野】
【０００１】
本発明は、無線通信技術分野に関し、特に、ページングメッセージの送信方法及び装置、コンピュータ記憶媒体に関する。
【背景技術】
【０００２】
長期的進化（ＬＴＥ：Ｌｏｎｇ  Ｔｅｒｍ  Ｅｖｏｌｕｔｉｏｎ）システムにおいて、ネットワークは、アイドル（ｉｄｌｅ）状態にある端末（ＵＥ：Ｕｓｅｒ  Ｅｑｕｉｐｍｅｎｔ）と接続（Ｃｏｎｎｅｃｔｉｏｎ）状態にあるＵＥに、ページングを送信することができる。ＵＥににとって、ＵＥは、１つの間欠受信（ＤＲＸ）周期内のページングフレーム（ＰＦ：Ｐａｇｉｎｇ  Ｆｒａｍｅ）におけるページングタイムユニットにおいて、ページングメッセージを受信する。
【０００３】
ＬＴＥシステムにおいて、同一のページングメッセージは、最大１６個のＵＥをサポートしており、即ち、同一のページングタイムユニットで、最大１６個のＵＥを同時にページングすることができる。ページングメッセージのサポートするＵＥの最大数は、システムメッセージ内のｍａｘｐａｇｅＲｅｃパラメータによって決定される。ＬＴＥシステムにおいて、ページングメッセージを搬送する時間周波数リソースの大きさが特に限定や区分されていないため、ページングメッセージのサポートするＵＥの最大数は、同じく、いずれも１６である。
【０００４】
しかしながら、幾つかのシナリオにおいて、例えば、ページング時間ユニットが異なる時間周波数リソースタイプを有する場合、異なるページングメッセージに対して、対応するｍａｘｐａｇｅＲｅｃパラメータを差別的に設定することができないため、ページングメッセージのオーバヘッドが大きくなってしまう。
【発明の概要】
【発明が解決しようとする課題】
【０００５】
上記技術的課題を解決するために、本発明の実施例は、ページングメッセージ的の送信方法及び装置、コンピュータ記憶媒体を提供する。
【課題を解決するための手段】
【０００６】
本発明の実施例が提供するページングメッセージの送信方法は、
ネットワークが、ページング構成パラメータに基づいて、ページングメッセージの最大ページングＵＥ数量を決定し、前記ページング構成パラメータが、ページングタイムユニットの構成情報と、ページングタイムユニットに対応する最大ページングＵＥ数量情報とを含み、ここで、前記ページングタイムユニットが、少なくとも、第１タイプのページングタイムユニットと、第２タイプのページングタイムユニットとを含み、各タイプのページングタイムユニットがそれぞれ、各々の最大ページングＵＥ数量に対応することと、
前記ネットワークが、前記ページング構成パラメータに基づいてページングメッセージを送信することと、を含む。
【０００７】
本発明の実施例において、前記第１タイプのページングタイムユニットと前記第２タイプのページングタイムユニットとに対応する最大ページングＵＥ数量は異なる。
【０００８】
本発明の実施例において、前記第１タイプのページングタイムユニットは、第１時間周波数リソースタイプに対応し、前記第２タイプのページングタイムユニットは、第２時間周波数リソースタイプに対応する。
【０００９】
本発明の実施例において、前記第１時間周波数リソースタイプに対応する時間周波数リソースの大きさは、前記第２時間周波数リソースタイプに対応する時間周波数リソースの大きさと異なるか、
及び／又は、
前記第１時間周波数リソースタイプとＳＳ  ｂｌｏｃｋの時間周波数リソースとの多重化方式は、前記第２時間周波数リソースタイプとＳＳ  ｂｌｏｃｋの時間周波数リソースとの多重化方式と異なる。
【００１０】
本発明の実施例において、前記第１タイプのページングタイムユニットが第１時間周波数リソースタイプに対応することは、
ＳＳ  ｂｌｏｃｋを送信する名目リソース（ｎｏｍｉｎａｌ  ｒｅｓｏｕｒｃｅ）の所在するシンボルにおいて、第１タイプのページングタイムユニットに対応する時間周波数リソースが前記ｎｏｍｉｎａｌ  ｒｅｓｏｕｒｃｅと周波数分割されることを含む。
【００１１】
本発明の実施例において、前記第２タイプのページングタイムユニットが第２時間周波数リソースタイプに対応することは、
ＳＳ  ｂｌｏｃｋを送信しないｎｏｍｉｎａｌ  ｒｅｓｏｕｒｃｅの所在するシンボルにおいて、第２タイプのページングタイムユニットに対応する時間周波数リソースが、前記ｎｏｍｉｎａｌ  ｒｅｓｏｕｒｃｅの所在する時間周波数リソースを含んでもよいことを含む。
【００１２】
本発明の実施例において、前記ページングタイムユニットは、ページング時点（ＰＯ）、又はＰＯにおける一部のタイムユニットを含む。
【００１３】
本発明の実施例が提供するページングメッセージの受信方法は、
端末が、ネットワークによりページング構成パラメータに基づいて送信されたページングメッセージを受信し、ここで、前記ページング構成パラメータが、ページングメッセージの最大ページングＵＥ数量を決定するためのものであり、前記ページング構成パラメータが、ページングタイムユニットの構成情報と、ページングタイムユニットに対応する最大ページングＵＥ数量情報とを含み、ここで、前記ページングタイムユニットが、少なくとも、第１タイプのページングタイムユニットと、第２タイプのページングタイムユニットとを含み、各タイプのページングタイムユニットがそれぞれ、各々の最大ページングＵＥ数量に対応することを含む。
【００１４】
本発明の実施例において、前記第１タイプのページングタイムユニットと前記第２タイプのページングタイムユニットとに対応する最大ページングＵＥ数量は異なる。
【００１５】
本発明の実施例において、前記第１タイプのページングタイムユニットは、第１時間周波数リソースタイプに対応し、前記第２タイプのページングタイムユニットは、第２時間周波数リソースタイプに対応する。
【００１６】
本発明の実施例において、前記第１時間周波数リソースタイプに対応する時間周波数リソースの大きさは、前記第２時間周波数リソースタイプに対応する時間周波数リソースの大きさと異なるか、
及び／又は、
前記第１時間周波数リソースタイプとＳＳ  ｂｌｏｃｋの時間周波数リソースとの多重化方式は、前記第２時間周波数リソースタイプとＳＳ  ｂｌｏｃｋの時間周波数リソースとの多重化方式と異なる。
【００１７】
本発明の実施例において、前記第１タイプのページングタイムユニットが第１時間周波数リソースタイプに対応することは、
ＳＳ  ｂｌｏｃｋを送信するｎｏｍｉｎａｌ  ｒｅｓｏｕｒｃｅの所在するシンボルにおいて、第１タイプのページングタイムユニットに対応する時間周波数リソースが前記ｎｏｍｉｎａｌ  ｒｅｓｏｕｒｃｅと周波数分割されることを含む。
【００１８】
本発明の実施例において、前記第２タイプのページングタイムユニットが第２時間周波数リソースタイプに対応することは、
ＳＳ  ｂｌｏｃｋを送信しないｎｏｍｉｎａｌ  ｒｅｓｏｕｒｃｅの所在するシンボルにおいて、第２タイプのページングタイムユニットに対応する時間周波数リソースが、前記ｎｏｍｉｎａｌ  ｒｅｓｏｕｒｃｅの所在する時間周波数リソースを含んでもよいことを含む。
【００１９】
本発明の実施例において、前記ページングタイムユニットは、ＰＯ、又はＰＯにおける一部のタイムユニットを含む。
【００２０】
本発明の実施例が提供するページングメッセージの送信装置は、
ページング構成パラメータに基づいて、ページングメッセージの最大ページングＵＥ数量を決定するように構成され、前記ページング構成パラメータが、ページングタイムユニットの構成情報と、ページングタイムユニットに対応する最大ページングＵＥ数量情報とを含み、ここで、前記ページングタイムユニットが、少なくとも、第１タイプのページングタイムユニットと、第２タイプのページングタイムユニットとを含み、各タイプのページングタイムユニットがそれぞれ、各々の最大ページングＵＥ数量に対応する決定ユニットと、
前記ページング構成パラメータに基づいてページングメッセージを送信するように構成される送信ユニットとを備える。
【００２１】
本発明の実施例において、前記第１タイプのページングタイムユニットと前記第２タイプのページングタイムユニットとに対応する最大ページングＵＥ数量は異なる。
【００２２】
本発明の実施例において、前記第１タイプのページングタイムユニットは、第１時間周波数リソースタイプに対応し、前記第２タイプのページングタイムユニットは、第２時間周波数リソースタイプに対応する。
【００２３】
本発明の実施例において、前記第１時間周波数リソースタイプに対応する時間周波数リソースの大きさは、前記第２時間周波数リソースタイプに対応する時間周波数リソースの大きさと異なるか、
及び／又は、
本発明の実施例において、前記第１時間周波数リソースタイプとＳＳ  ｂｌｏｃｋの時間周波数リソースとの多重化方式は、前記第２時間周波数リソースタイプとＳＳ  ｂｌｏｃｋの時間周波数リソースとの多重化方式と異なる。
【００２４】
本発明の実施例において、前記第１タイプのページングタイムユニットが第１時間周波数リソースタイプに対応することは、
ＳＳ  ｂｌｏｃｋを送信する名目リソース（ｎｏｍｉｎａｌ  ｒｅｓｏｕｒｃｅ）の所在するシンボルにおいて、第１タイプのページングタイムユニットに対応する時間周波数リソースが前記ｎｏｍｉｎａｌ  ｒｅｓｏｕｒｃｅと周波数分割されることを含む。
【００２５】
本発明の実施例において、前記第２タイプのページングタイムユニットが第２時間周波数リソースタイプに対応することは、
ＳＳ  ｂｌｏｃｋを送信しないｎｏｍｉｎａｌ  ｒｅｓｏｕｒｃｅの所在するシンボルにおいて、第２タイプのページングタイムユニットに対応する時間周波数リソースが、前記ｎｏｍｉｎａｌ  ｒｅｓｏｕｒｃｅの所在する時間周波数リソースを含んでもよいことを含む。
【００２６】
本発明の実施例において、前記ページングタイムユニットは、ページング時点（ＰＯ）、又はＰＯにおける一部のタイムユニットを含む。
【００２７】
本発明の実施例が提供するページングメッセージの送信装置は、
ネットワークによりページング構成パラメータに基づいて送信されたページングメッセージを受信するように構成され、ここで、前記ページング構成パラメータが、ページングメッセージの最大ページングＵＥ数量を決定するためのものであり、前記ページング構成パラメータが、ページングタイムユニットの構成情報と、ページングタイムユニットに対応する最大ページングＵＥ数量情報とを含み、ここで、前記ページングタイムユニットが、少なくとも、第１タイプのページングタイムユニットと、第２タイプのページングタイムユニットとを含み、各タイプのページングタイムユニットがそれぞれ、各々の最大ページングＵＥ数量に対応する受信ユニットを備える。
【００２８】
本発明の実施例において、前記第１タイプのページングタイムユニットと前記第２タイプのページングタイムユニットとに対応する最大ページングＵＥ数量は異なる。
【００２９】
本発明の実施例において、前記第１タイプのページングタイムユニットは、第１時間周波数リソースタイプに対応し、前記第２タイプのページングタイムユニットは、第２時間周波数リソースタイプに対応する。
【００３０】
本発明の実施例において、前記第１時間周波数リソースタイプに対応する時間周波数リソースの大きさは、前記第２時間周波数リソースタイプに対応する時間周波数リソースの大きさと異なるか、
及び／又は、
前記第１時間周波数リソースタイプとＳＳ  ｂｌｏｃｋの時間周波数リソースとの多重化方式は、前記第２時間周波数リソースタイプとＳＳ  ｂｌｏｃｋの時間周波数リソースとの多重化方式と異なる。
【００３１】
本発明の実施例において、前記第１タイプのページングタイムユニットが第１時間周波数リソースタイプに対応することは、
ＳＳ  ｂｌｏｃｋを送信するｎｏｍｉｎａｌ  ｒｅｓｏｕｒｃｅの所在するシンボルにおいて、第１タイプのページングタイムユニットに対応する時間周波数リソースが前記ｎｏｍｉｎａｌ  ｒｅｓｏｕｒｃｅと周波数分割されることを含む。
【００３２】
本発明の実施例において、前記第２タイプのページングタイムユニットが第２時間周波数リソースタイプに対応することは、
ＳＳ  ｂｌｏｃｋを送信しないｎｏｍｉｎａｌ  ｒｅｓｏｕｒｃｅの所在するシンボルにおいて、第２タイプのページングタイムユニットに対応する時間周波数リソースが、前記ｎｏｍｉｎａｌ  ｒｅｓｏｕｒｃｅの所在する時間周波数リソースを含んでもよいことを含む。
【００３３】
本発明の実施例において、前記ページングタイムユニットは、ＰＯ、又はＰＯにおける一部のタイムユニットを含む。
【００３４】
本発明の実施例が提供するコンピュータ記憶媒体は、コンピュータによる実行可能な命令が記憶されており、該コンピュータによる実行可能な命令がプロセッサにより実行される時、上記ページングメッセージの送信方法を実現させる。
【発明の効果】
【００３５】
本発明の実施例の考案において、ネットワークが、ページング構成パラメータに基づいて、ページングメッセージの最大ページングＵＥ数量を決定し、前記ページング構成パラメータが、ページングタイムユニットの構成情報と、ページングタイムユニットに対応する最大ページングＵＥ数量情報とを含み、ここで、前記ページングタイムユニットが、少なくとも、第１タイプのページングタイムユニットと、第２タイプのページングタイムユニットとを含み、各タイプのページングタイムユニットがそれぞれ、各々の最大ページングＵＥ数量に対応する。前記ネットワークが、前記ページング構成パラメータに基づいてページングメッセージを送信する。本発明の実施例の考案を利用すれば、異なるページングメッセージが異なるＵＥの最大数をサポートすることをに許容するようになり、即ち、異なるページングタイムユニットの同時にページングされるＵＥの最大数が異なることを許容し、ページングリソースを十分に利用してページングメッセージを送信することができる。それと同時に、幾つかのページングタイムユニットで、より多くのＵＥのページングをサポートさせることで、必要なページングタイムユニットの数を低減させ、ページングメッセージのオーバーヘッドを低減させることができる。
【図面の簡単な説明】
【００３６】
【図１】基地局がビームによって無線信号を送信することを示す模式図である。
【図２】ＳＳ  ｂｌｏｃｋを示す模式図である。
【図３】異なるサブキャリア間隔及び周波数帯域におけるタイムロットの分布を示す図である。
【図４】異なるサブキャリア間隔におけるＳＳ  ｂｌｏｃｋの分布を示す図である。
【図５】ＳＳ  ｂｌｏｃｋの所在する所定の時間周波数リソースのｓｌｏｔにおける位置の分布を示す図である。
【図６】ＰＦとＰＯの分布を示す図である。
【図７】ＰＯの時間周波数リソースの分布を示す図である。
【図８】本発明の実施例によるページングメッセージの送信方法を示す第１フローチャートである。
【図９】本発明の実施例によるページングメッセージの送信装置の構成を示す第１模式図である。
【図１０】本発明の実施例によるページングメッセージの送信方法を示す第２フローチャートである。
【図１１】本発明の実施例によるページングメッセージの送信装置の構成を示す第２模式図である。
【図１２】本発明の実施例による端末の構成を示す模式図である。
【発明を実施するための形態】
【００３７】
ここで説明した図面は、本発明の一層の理解のために含めたものであり、本明細書に導入されてその一部となる。本発明の概略的な実施例及びその説明は、本発明の解説に用いるものであるが、本発明を不当に限定するものではない。
【００３８】
本発明の実施例の考案を理解しやすくするために、以下、本発明の実施例に係るキーポイントとなる技術を説明する。
【００３９】
１）５Ｇにおけるビーム
５Ｇシステムに用いられる周波数帯域がＬＴＥシステムに比べて高いため、５Ｇシステムの無線信号伝送によるパスロスは、ＬＴＥシステムよりも大きく、５Ｇシステムの無線信号のカバレッジが小さくなってしまう。従って、５Ｇシステムにおいて、基地局のマルチアンテナシステムによって、ビームフォーミング（ｂｅａｍｆｏｒｍｉｎｇ）技術を利用してビームを形成することで無線信号のゲインを向上させ、パスロスを補う。ビームフォーミング技術において、ビームは指向性を有する。１つの狭ビームは、セルの一部領域のみをカバーすることができ、セルの全ての領域をカバーすることができない。図１に示すように、基地局は、４つの異なる方向のビーム（Ｂ１、Ｂ２、Ｂ３、Ｂ４）によって送信することができる。ビームＢ２は、ＵＥ１のみをカバーすることができ、ＵＥ２をカバーすることができない。
【００４０】
２）５Ｇにおける同期信号伝送ブロック（ＳＳ  ｂｌｏｃｋ：Ｓｙｎｃｈｒｏｎｉｚａｔｉｏｎ  Ｓｉｇｎａｌ  ｂｌｏｃｋ）
５Ｇシステムにおける、ブロードキャストチャネルや同期信号のような共通チャネルや共通信号は、セル内のＵＥがこれらの信号を受信することができるように、マルチビームの方式でセル全体をカバーする必要がある。同期信号のマルチビーム送信は、同期信号バーストセット（ＳＳ  ｂｕｒｓｔ  ｓｅｔ）を定義することで実現する。１つのＳＳ  ｂｕｒｓｔ  ｓｅｔは、１つ又は複数の同期信号バースト（ＳＳ  ｂｕｒｓｔ）を含み、１つのＳＳ  ｂｕｒｓｔは、１つ又は複数のＳＳ  ｂｌｏｃｋ（ＳＳＢと略称されてもよい）を含む。１つのＳＳ  ｂｌｏｃｋが１つのビームの同期信号及びブロードキャストチャネルを搬送するためのものであり、そのため、１つのＳＳ  ｂｕｒｓｔ  ｓｅｔは、セル範囲内のＳＳ  ｂｌｏｃｋ数（ＳＳ  ｂｌｏｃｋ  ｎｕｍｂｅｒ）個のビームの同期信号を含んでもよい。図２に示すように、１つのＳＳ  ｂｌｏｃｋには、１つのシンボルのプライマリー同期信号（ＰＳＳ）、１つのシンボルのセカンダリ同期信号（ＳＳＳ）及び２つのシンボルの物理ブロードキャストチャネル（ＰＢＣＨ：Ｐｈｙｓｉｃａｌ  Ｂｒｏａｄｃａｓｔ  Ｃｈａｎｎｅｌ）が含まれる。
【００４１】
１つのＳＳ  ｂｕｒｓｔ  ｓｅｔに含まれるＳＳ  ｂｌｏｃｋの数Ｌは、システムの周波数帯域によって決定され、例えば、
３ＧＨｚの周波数帯域では、Ｌは４であり、
３ＧＨｚ−６ＧＨｚの周波数帯域では、Ｌは８であり、
６ＧＨｚ−５２．６ＧＨｚの周波数帯域では、Ｌは６４である。
【００４２】
ＳＳ  ｂｕｒｓｔ  ｓｅｔは、その送信周期が、設定可能である。一例において、１つの周期内のＳＳ  ｂｕｒｓｔ  ｓｅｔは、５ｍｓの時間窓内で送信される。また、システムのサブキャリア間隔（ＳＣＳ：Ｓｕｂｃａｒｒｉｅｒ  Ｓｐａｃｉｎｇ）も設定可能である。異なるサブキャリア間隔と周波数帯域におけるスロットの分布は、図３に示すとおりである。図３において、上から下へ、それぞれ
１５ＫＨｚ  ＳＣＳであってＬ＝４（３ＧＨｚの周波数帯域に対応する）であるＳＳ  ｂｕｒｓｔ  ｓｅｔのスロットの分布、
１５ＫＨｚ  ＳＣＳであってＬ＝８（３ＧＨｚ−６ＧＨｚの周波数帯域に対応する）であるＳＳ  ｂｕｒｓｔ  ｓｅｔのスロットの分布、
３０ＫＨｚ  ＳＣＳであってＬ＝４（３ＧＨｚの周波数帯域に対応する）であるＳＳ  ｂｕｒｓｔ  ｓｅｔのスロットの分布、
３０ＫＨｚ  ＳＣＳであってＬ＝８（３ＧＨｚ−６ＧＨｚの周波数帯域に対応する）であるＳＳ  ｂｕｒｓｔ  ｓｅｔのスロットの分布、
１２０ＫＨｚ  ＳＣＳであってＬ＝６４（６ＧＨｚ−５２．６ＧＨｚ）であるＳＳ  ｂｕｒｓｔ  ｓｅｔのスロットの分布、
２４０ＫＨｚ  ＳＣＳであってＬ＝６４（６ＧＨｚ−５２．６ＧＨｚ）であるＳＳ  ｂｕｒｓｔ  ｓｅｔのスロットの分布が示される。
【００４３】
更に１つのスロット（ｓｌｏｔ）におけるＳＳ  ｂｌｏｃｋの分布は、１つのスロットが、１４個のシンボル（ｓｙｍｂｏｌ）を含み、最大２つのＳＳ  ｂｌｏｃｋを搬送することができる。異なるサブキャリア間隔におけるＳＳ  ｂｌｏｃｋの分布は、図４に示すとおりである。図４において、上から下へ、それぞれ
１５ＫＨｚ  ＳＣＳにおける１つのスロット内のＳＳ  ｂｌｏｃｋの分布、
３０ＫＨｚ  ＳＣＳにおける１つのスロット内のＳＳ  ｂｌｏｃｋの第１分布、
３０ＫＨｚ  ＳＣＳにおける１つのスロット内のＳＳ  ｂｌｏｃｋの第２分布、
１２０ＫＨｚ  ＳＣＳにおける１つのスロット内のＳＳ  ｂｌｏｃｋの分布、
２４０ＫＨｚ  ＳＣＳにおける１つのスロット内のＳＳ  ｂｌｏｃｋの分布が示される。
【００４４】
上記考案において、ＳＳ  ｂｌｏｃｋの数Ｌがシステムの周波数帯域によって決定されるが、Ｌは、ＳＳ  ｂｌｏｃｋに対応する最大数に過ぎず、ネットワークから実際に送信されたＳＳ  ｂｌｏｃｋの数は、Ｌ未満である可能性がある。ＵＥでレートマッチングを容易にするために、ネットワークから実際に送信されるＳＳ  ｂｌｏｃｋの数をＵＥに指示する必要がある。ＳＳ  ｂｌｏｃｋを送信しない時間周波数リソース位置は、物理下り共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）のような他のチャネルの伝送に用いられてもよい。ここで、ネットワークから実際に送信されたＳＳ  ｂｌｏｃｋの情報は、ＲＭＳＩによって指示される。
【００４５】
ＳＳ  ｂｌｏｃｋの所在する所定の時間周波数リソースのｓｌｏｔにおける位置分布は、図５に示すとおりである。しかしながら、ＳＳ  ｂｌｏｃｋの周期の相違、加えて実際に送信されるＳＳ  ｂｌｏｃｋも相違しているため、所定の時間周波数リソースにおいて必ずしもＳＳ  ｂｌｏｃｋを送信するとは限らないため、これらの所定の時間周波数リソースをＳＳ  ｂｌｏｃｋの名目リソース（ｎｏｍｉｎａｌ  ｒｅｓｏｕｒｃｅ）と呼ぶ。
【００４６】
３）ＬＴＥにおけるページング
ＬＴＥシステムにおいて、ネットワークは、アイドル（ｉｄｌｅ）状態にあるＵＥ及び接続（Ｃｏｎｎｅｃｔｉｏｎ）状態にあるＵＥにページングを送信することができる。ページングプロセスは、コアネットワークによりトリガされるか、又は基地局によりトリガされてもよく、ｉｄｌｅ状態にあるＵＥにページング要求を送信するように用いられるか、又はシステム情報の更新をＵＥに通信するように用いられるか、緊急地震津波速報（ＥＴＷＳ）及び商用移動体警報サービス（ＣＭＡＳ）等の情報の受信をＵＥに通信するように用いられる。基地局は、コアネットワークからのページングメッセージを受信した後、ページングメッセージを解析し、ＵＥのトラッキングエリア識別子リスト（ＴＡ  ｌｉｓｔ：Ｔｒａｃｋｉｎｇ  Ａｒｅａ  Ｉｄｅｎｔｉｔｙ  ｌｉｓｔ）を得て、ＴＡ  ｌｉｓｔにおけるトラッキングエリアに属するセル対して、エアインターフェースによるページングを行う。更に、基地局は、コアネットワークからのページングメッセージを受信した後、ＰＯが同じであるページングメッセージを１つのページングメッセージにまとめ、ページングチャネルによって関連ＵＥに伝送する。ＵＥは、システムメッセージによってページングパラメータを受信し、自体の国際移動体加入者識別番号（ＩＭＳＩ：Ｉｎｔｅｒｎａｔｉｏｎａｌ  Ｍｏｂｉｌｅ  Ｓｕｂｓｃｒｉｂｅｒ  Ｉｄｅｎｔｉｆｉｃａｔｉｏｎ  Ｎｕｍｂｅｒ）を参照しながらＰＯを算出し、ＰＯに基づいて、対応する時点でページングメッセージを受信する。ここで、ページングメッセージは、ＰＤＳＣＨによって搬送され、ＵＥは、Ｐ−ＲＮＴＩでスクランブリングされた物理下り制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）を検出することでページング指示情報を取得することにより、ＰＤＳＣＨにおいてページングメッセージを受信する。更に、Ｉｄｌｅ状態にあるＵＥは、ＤＲＸの方式で省電力化を図り、ＵＥは、ＳＩＢ２からＤＲＸに関連する情報を取得する。１つのＤＲＸ周期のＰＦにおけるＰＯにおいて、Ｐ−ＲＮＴＩでスクランブリングされたＰＤＣＣＨを監視することでページングメッセージを受信する。
【００４７】
上記考案において、ＰＦは、ページングメッセージがどのシステムフレーム番号に現れるかを表す。ＰＯは、ページングメッセージが現れるサブフレーム時刻を表す。１つのＰＦフレームは、１つ又は複数のＰＯサブフレームを含んでもよい。各ＤＲＸ周期又はページング周期（Ｐａｇｉｎｇ  Ｃｙｃｌｅ）において、ＵＥは、自体に属するＰＯサブフレームを監視することだけでよい。ＰＦとＰＯの分布は、図６に示すとおりである。下記式を満たすシステムフレーム番号（ＳＦＮ）は１つのＰＦフレームとすることができる。
【００４８】
ＳＦＮ  ｍｏｄ  Ｔ＝（Ｔ  ｄｉｖ  Ｎ）×（ＵＥ＿ＩＤ  ｍｏｄ  Ｎ）
ここで、Ｔは、ＵＥのＤＲＸ周期又はページング周期を表す。ＳＩＢ２によって搬送されるデフォルトページング周期をＴ＿ｓｉｂとし、ＵＥのＤＲＸ値Ｔ＿ｕｅが設定されている場合、Ｔ＝ｍｉｎ（Ｔ＿ｕｅ，Ｔ＿ｓｉｂ）であり、Ｔ＿ｕｅとＴ＿ｓｉｂとの小さな値を取ることを表す。Ｔ＿ｕｅが設定されていない場合、Ｔ＝Ｔ＿ｓｉｂである。ＵＥ＿ＩＤ＝（ＩＭＳＩ  ｍｏｄ  １０２４）とは、全てのＩＭＳＩを１０２４個のＵＥグループに分け、ＩＭＳＩが各ユーザにとって一意的なものであることを指す。Ｎ＝ｍｉｎ（Ｔ，ｎＢ）は、ＴとｎＢとの小さな値を取ることを表し、ここで、パラメータｎＢは、ページングの密度を表し、ｎＢは、ＳＩＢ２によって搬送され、その数値範囲が｛４Ｔ，２Ｔ，Ｔ，Ｔ／２，Ｔ／４，Ｔ／８，Ｔ／１６，Ｔ／３２｝であるため、Ｎの数値範囲は、｛Ｔ，Ｔ／２，Ｔ／４，Ｔ／８，Ｔ／１６，Ｔ／３２｝である。実際に、Ｎは、各周期内にどれくらいのＰＦが含まれるかを表す。
【００４９】
ＰＯサブフレームの位置は、ＬＴＥ方式のタイプ（ＦＤＤであるか、あるいはＴＤＤであるか）、パラメータＮｓ及びｉ＿ｓによって共同で决定される。ここで、Ｎｓは、各ＰＦにはどれくらいのページングフレームが含まれるかを表し、ｉ＿ｓは、ページングサブフレームのインデックスを表し、Ｎｓ＝ｍａｘ（１，ｎＢ／Ｔ），ｉ＿ｓ＝ｆｌｏｏｒ（ＵＥ＿ＩＤ／Ｎ）ｍｏｄ  Ｎｓである。表１、表２に示すように、ＮＳの値は、１、２、４という３つの値だけがある。例えば、現在、ＬＴＥ−ＦＤＤ方式であって、Ｎｓ＝４であれば、ｉ＿ｓ＝０である場合、ＰＯ＝０であり、ページングメッセージは、０番目のサブフレームで送信され、ｉ＿ｓ＝２である場合、ＰＯ＝５であり、ページングメッセージは、５番目のサブフレームで送信される。最後に、ＵＥは、セル内のＰＯ及び自体のＵＥ＿ＩＤに基づいて、１つの周期内の自体に属するＰＯの位置を決定する。このような方法によれば、ＵＥは、異なるＰＯに均一に分割される。
【００５０】
【表１】
2021511693.tif 000003
【００５１】
４）５Ｇにおけるページング
５Ｇにおいて、１つのＰＯの時間周波数リソースの定義について、１つの定義において、ＳＳ  ｂｌｏｃｋに対応するｎｏｍｉｎａｌ  ｒｅｓｏｕｒｃｅは、ＰＯ内の、ページングメッセージを搬送する時間周波数リソースとして用いられる。図７に示すように、実際にＳＳ  ｂｌｏｃｋを送信するｎｏｍｉｎａｌ  ｒｅｓｏｕｒｃｅの所在するシンボルにおいて、ＰＯに対応する時間周波数リソースは、ｎｏｍｉｎａｌ  ｒｅｓｏｕｒｃｅに対応する時間周波数リソースと周波数分割される。このようなＰＯに対応する時間周波数リソースタイプは、第１時間周波数リソースタイプと呼ばれる。ＳＳ  ｂｌｏｃｋを送信しないｎｏｍｉｎａｌ  ｒｅｓｏｕｒｃｅの所在するシンボルにおいて、ＰＯに対応する時間周波数リソースは、ｎｏｍｉｎａｌ  ｒｅｓｏｕｒｃｅに対応する時間周波数リソースを含んでもよく、このようなＰＯに対応する時間周波数リソースタイプは、第２時間周波数リソースタイプと呼ばれる。
【００５２】
図７におけるＰＯの２つの時間周波数リソースタイプは、その時間周波数リソースの大きさが異なるため、搬送可能なページングメッセージの能力も異なる。特に、第１時間周波数リソースタイプは、ＰＯに対応する時間周波数リソースがｎｏｍｉｎａｌ  ｒｅｓｏｕｒｃｅに対応する時間周波数リソースと周波数分割されており、また、全周波数帯域幅がＵＥの最小周波数帯域幅能力を満たす必要があるため、ページングメッセージを搬送するための周波数帯域幅は極めて限られている。それと同時に、ビーム走査の方式でページングメッセージを送信するため、オーバーヘッドが巨大となる。オーバーヘッドを節約する方法の１つは、各ＰＯのページング可能なＵＥの数を増加することで、ページングメッセージ送信の総回数を低減させる。これに基づいて、ページングされるＵＥの数の増加により、ページングメッセージ自体の大きさが大きくなり、ページングメッセージを搬送するために、より多くの時間周波数リソースを必要とする。
【００５３】
ＬＴＥシステムを例とすれば、ページングメッセージによって、ページングされるＵＥのサービング一時的移動体加入者識別子（Ｓ−ＴＭＳＩ：Ｓｅｒｖｉｎｇ−Ｔｅｍｐｏｒａｒｙ  Ｍｏｂｉｌｅ  Ｓｕｂｓｃｒｉｂｅｒ  Ｉｄｅｎｔｉｔｙ）を搬送し、Ｓ−ＴＭＳＩは、４０ｂｉｔｓを含む。ＵＥは、自分のＰＯにおいて、ページングメッセージを受信することで、それに自分のＳ−ＴＭＳＩが含まれるかを判定する。ページングメッセージには自分のＳ−ＴＭＳＩが含まれる場合、自分がページングされていると判定する。同一のページングメッセージにおいて、最大１６個のＵＥをサポートする。即ち、１つのＰＯで、最大１６個のＵＥを同時にページングすることができる。ページングメッセージによりサポートされるＵＥの最大数は、システムメッセージにおけるｍａｘＰａｇｅＲｅｃパラメータによって決定される。ＬＴＥにおいて、ページングメッセージを搬送する時間周波数リソースの大きさが特に限定や区分されていないため、ページングメッセージによりサポートされるＵＥの最大数は、一定であり、いずれも１６である。
【００５４】
５Ｇシステムにおいて、ＰＯには、２つの時間周波数リソースタイプが存在しており、且つ該２つの時間周波数リソースタイプのリソースの大きさは異なる。またページングオーバーヘッドの低減も考慮し、各ＰＯで、より多くのＵＥをページングする必要がある。このようなシナリオにおいて、本発明の実施例の下記考案を提出する。
【００５５】
図８は、本発明の実施例によるページングメッセージの送信方法を示す第１フローチャートである。図８に示すように、前記ページングメッセージの送信方法は、下記ステップを含む。
【００５６】
ステップ８０１：ネットワークが、ページング構成パラメータに基づいて、ページングメッセージの最大ページングＵＥ数量を決定し、前記ページング構成パラメータが、ページングタイムユニットの構成情報と、ページングタイムユニットに対応する最大ページングＵＥ数量情報とを含み、ここで、前記ページングタイムユニットが、少なくとも、第１タイプのページングタイムユニットと、第２タイプのページングタイムユニットとを含み、各タイプのページングタイムユニットがそれぞれ、各々の最大ページングＵＥ数量に対応する。
【００５７】
本発明の実施例において、前記第１タイプのページングタイムユニットと前記第２タイプのページングタイムユニットとに対応する最大ページングＵＥ数量は異なる。
【００５８】
本発明の実施例において、前記第１タイプのページングタイムユニットは、第１時間周波数リソースタイプに対応し、前記第２タイプのページングタイムユニットは、第２時間周波数リソースタイプに対応する。
【００５９】
上記考案において、第１時間周波数リソースタイプと第２時間周波数リソースタイプが異なり、ここで、第１時間周波数リソースタイプと第２時間周波数リソースタイプが異なることは、以下を指す。
【００６０】
１）前記第１時間周波数リソースタイプに対応する時間周波数リソースの大きさは、前記第２時間周波数リソースタイプに対応する時間周波数リソースの大きさと異なる。
【００６１】
２）前記第１時間周波数リソースタイプとＳＳ  ｂｌｏｃｋの時間周波数リソースとの多重化方式は、前記第２時間周波数リソースタイプとＳＳ  ｂｌｏｃｋの時間周波数リソースとの多重化方式と異なる。
【００６２】
３）前記第１時間周波数リソースタイプに対応する時間周波数リソースの大きさは、前記第２時間周波数リソースタイプに対応する時間周波数リソースの大きさと異なり、且つ、前記第１時間周波数リソースタイプとＳＳ  ｂｌｏｃｋの時間周波数リソースとの多重化方式は、前記第２時間周波数リソースタイプとＳＳ  ｂｌｏｃｋの時間周波数リソースとの多重化方式と異なる。
【００６３】
上記考案において、前記ページングタイムユニットは、ＰＯ、又はＰＯにおける一部のタイムユニットを含む。
【００６４】
ＳＳ  ｂｌｏｃｋを送信するｎｏｍｉｎａｌ  ｒｅｓｏｕｒｃｅの所在するシンボルにおいて、第１タイプのページングタイムユニットに対応する時間周波数リソースが前記ｎｏｍｉｎａｌ  ｒｅｓｏｕｒｃｅと周波数分割される。ＳＳ  ｂｌｏｃｋを送信しないｎｏｍｉｎａｌ  ｒｅｓｏｕｒｃｅの所在するシンボルにおいて、第２タイプのページングタイムユニットに対応する時間周波数リソースが、前記ｎｏｍｉｎａｌ  ｒｅｓｏｕｒｃｅの所在する時間周波数リソースを含んでもよい。
【００６５】
本発明の実施例において、システムメッセージからページング構成パラメータを取得することができる。例えば、システムメッセージから取得されたページング構成パラメータがｍａｘＰａｇｅＲｅｃ１＝１６であれば、第１タイプのページングタイムユニットに対応する、最大ページングＵＥ数量が１６であることを表す。また、例えば、システムメッセージから取得されたページング構成パラメータがｍａｘＰａｇｅＲｅｃ２＝３２であれば、第１タイプのページングタイムユニットに対応する、最大ページングＵＥ数量が３２であることを表す。
【００６６】
ステップ８０２：前記ネットワークが、前記ページング構成パラメータに基づいてページングメッセージを送信する。
【００６７】
本発明の実施例の考案において、異なるページングメッセージが異なるＵＥの最大数をサポートすることをに許容するようになり、即ち、異なるページングタイムユニットの同時にページングされるＵＥの最大数が異なることを許容し、ページングリソースを十分に利用してページングメッセージを送信することができる。それと同時に、幾つかのページングタイムユニットで、より多くのＵＥのページングをサポートさせることで、必要なページングタイムユニットの数を低減させ、ページングメッセージのオーバーヘッドを低減させることができる。
【００６８】
図９は、本発明の実施例によるページングメッセージの送信装置の構成を示す第１模式図である。図９に示すように、前記ページングメッセージの送信装置は、
ページング構成パラメータに基づいて、ページングメッセージの最大ページングＵＥ数量を決定するように構成され、前記ページング構成パラメータが、ページングタイムユニットの構成情報と、ページングタイムユニットに対応する最大ページングＵＥ数量情報とを含み、ここで、前記ページングタイムユニットが、少なくとも、第１タイプのページングタイムユニットと、第２タイプのページングタイムユニットとを含み、各タイプのページングタイムユニットがそれぞれ、各々の最大ページングＵＥ数量に対応する決定ユニット９０１と、
前記ページング構成パラメータに基づいてページングメッセージを送信するように構成される送信ユニット９０２とを備える。
【００６９】
一実施形態において、前記第１タイプのページングタイムユニットと前記第２タイプのページングタイムユニットとに対応する最大ページングＵＥ数量は異なる。
【００７０】
一実施形態において、前記第１タイプのページングタイムユニットは、第１時間周波数リソースタイプに対応し、前記第２タイプのページングタイムユニットは、第２時間周波数リソースタイプに対応する。
【００７１】
一実施形態において、前記第１時間周波数リソースタイプに対応する時間周波数リソースの大きさは、前記第２時間周波数リソースタイプに対応する時間周波数リソースの大きさと異なるか、
及び／又は、
前記第１時間周波数リソースタイプとＳＳ  ｂｌｏｃｋの時間周波数リソースとの多重化方式は、前記第２時間周波数リソースタイプとＳＳ  ｂｌｏｃｋの時間周波数リソースとの多重化方式と異なる。
【００７２】
一実施形態において、前記第１タイプのページングタイムユニットが第１時間周波数リソースタイプに対応することは、
ＳＳ  ｂｌｏｃｋを送信する名目リソース（ｎｏｍｉｎａｌ  ｒｅｓｏｕｒｃｅ）の所在するシンボルにおいて、第１タイプのページングタイムユニットに対応する時間周波数リソースが前記ｎｏｍｉｎａｌ  ｒｅｓｏｕｒｃｅと周波数分割されることを含む。
【００７３】
一実施形態において、前記第２タイプのページングタイムユニットが第２時間周波数リソースタイプに対応することは、
ＳＳ  ｂｌｏｃｋを送信しないｎｏｍｉｎａｌ  ｒｅｓｏｕｒｃｅの所在するシンボルにおいて、第２タイプのページングタイムユニットに対応する時間周波数リソースが、前記ｎｏｍｉｎａｌ  ｒｅｓｏｕｒｃｅの所在する時間周波数リソースを含んでもよいことを含む。
【００７４】
一実施形態において、前記ページングタイムユニットは、ＰＯ、又はＰＯにおける一部のタイムユニットを含む。
【００７５】
上述したページングメッセージの送信方法に関連する説明を参照しながら、図９に示したページングメッセージの送信装置における各ユニットの機能を理解できることが当業者であれば理解すべきである。図９に示すページングメッセージの送信装置における各ユニットの機能は、プロセッサ上で実行されるプログラムによって実現してもよいし、具体的な論理回路によって実現してもよい。
【００７６】
図１０は、本発明の実施例によるページングメッセージの送信方法を示す第２フローチャートである。図１０に示すように、前記ページングメッセージの送信方法は下記ステップを含む。
【００７７】
ステップ１００１：端末が、ネットワークによりページング構成パラメータに基づいて送信されたページングメッセージを受信し、ここで、前記ページング構成パラメータが、ページングメッセージの最大ページングＵＥ数量を決定するためのものであり、前記ページング構成パラメータが、ページングタイムユニットの構成情報と、ページングタイムユニットに対応する最大ページングＵＥ数量情報とを含み、ここで、前記ページングタイムユニットが、少なくとも、第１タイプのページングタイムユニットと、第２タイプのページングタイムユニットとを含み、各タイプのページングタイムユニットがそれぞれ、各々の最大ページングＵＥ数量に対応する。
【００７８】
本発明の実施例において、前記第１タイプのページングタイムユニットと前記第２タイプのページングタイムユニットとに対応する最大ページングＵＥ数量は異なる。
【００７９】
本発明の実施例において、前記第１タイプのページングタイムユニットは、第１時間周波数リソースタイプに対応し、前記第２タイプのページングタイムユニットは、第２時間周波数リソースタイプに対応する。
【００８０】
更に、前記第１時間周波数リソースタイプに対応する時間周波数リソースの大きさは、前記第２時間周波数リソースタイプに対応する時間周波数リソースの大きさと異なるか、
及び／又は、
前記第１時間周波数リソースタイプとＳＳ  ｂｌｏｃｋの時間周波数リソースとの多重化方式は、前記第２時間周波数リソースタイプとＳＳ  ｂｌｏｃｋの時間周波数リソースとの多重化方式と異なる。
【００８１】
上記考案において、前記第１タイプのページングタイムユニットが第１時間周波数リソースタイプに対応することは、
ＳＳ  ｂｌｏｃｋを送信するｎｏｍｉｎａｌ  ｒｅｓｏｕｒｃｅの所在するシンボルにおいて、第１タイプのページングタイムユニットに対応する時間周波数リソースが前記ｎｏｍｉｎａｌ  ｒｅｓｏｕｒｃｅと周波数分割されることを含む。
【００８２】
上記考案において、前記第２タイプのページングタイムユニットが第２時間周波数リソースタイプに対応することは、
ＳＳ  ｂｌｏｃｋを送信しないｎｏｍｉｎａｌ  ｒｅｓｏｕｒｃｅの所在するシンボルにおいて、第２タイプのページングタイムユニットに対応する時間周波数リソースが、前記ｎｏｍｉｎａｌ  ｒｅｓｏｕｒｃｅの所在する時間周波数リソースを含んでもよいことを含む。
【００８３】
本発明の実施例において、前記ページングタイムユニットは、ＰＯ、又はＰＯにおける一部のタイムユニットを含む。
【００８４】
図１１は、本発明の実施例によるページングメッセージの送信装置の構成を示す第２模式図である。図１１に示すように、前記ページングメッセージの送信装置は、
ネットワークによりページング構成パラメータに基づいて送信されたページングメッセージを受信するように構成され、ここで、前記ページング構成パラメータが、ページングメッセージの最大ページングＵＥ数量を決定するためのものであり、前記ページング構成パラメータが、ページングタイムユニットの構成情報と、ページングタイムユニットに対応する最大ページングＵＥ数量情報とを含み、ここで、前記ページングタイムユニットが、少なくとも、第１タイプのページングタイムユニットと、第２タイプのページングタイムユニットとを含み、各タイプのページングタイムユニットがそれぞれ、各々の最大ページングＵＥ数量に対応する受信ユニット１１０１を備える。
【００８５】
一実施形態において、前記第１タイプのページングタイムユニットと前記第２タイプのページングタイムユニットとに対応する最大ページングＵＥ数量は異なる。
【００８６】
一実施形態において、前記第１タイプのページングタイムユニットは、第１時間周波数リソースタイプに対応し、前記第２タイプのページングタイムユニットは、第２時間周波数リソースタイプに対応する。
【００８７】
一実施形態において、前記第１時間周波数リソースタイプに対応する時間周波数リソースの大きさは、前記第２時間周波数リソースタイプに対応する時間周波数リソースの大きさと異なるか、
及び／又は、
前記第１時間周波数リソースタイプとＳＳ  ｂｌｏｃｋの時間周波数リソースとの多重化方式は、前記第２時間周波数リソースタイプとＳＳ  ｂｌｏｃｋの時間周波数リソースとの多重化方式と異なる。
【００８８】
一実施形態において、前記第１タイプのページングタイムユニットが第１時間周波数リソースタイプに対応することは、
ＳＳ  ｂｌｏｃｋを送信するｎｏｍｉｎａｌ  ｒｅｓｏｕｒｃｅの所在するシンボルにおいて、第１タイプのページングタイムユニットに対応する時間周波数リソースが前記ｎｏｍｉｎａｌ  ｒｅｓｏｕｒｃｅと周波数分割されることを含む。
【００８９】
一実施形態において、前記第２タイプのページングタイムユニットが第２時間周波数リソースタイプに対応することは、
ＳＳ  ｂｌｏｃｋを送信しないｎｏｍｉｎａｌ  ｒｅｓｏｕｒｃｅの所在するシンボルにおいて、第２タイプのページングタイムユニットに対応する時間周波数リソースが、前記ｎｏｍｉｎａｌ  ｒｅｓｏｕｒｃｅの所在する時間周波数リソースを含んでもよいことを含む。
【００９０】
一実施形態において、前記ページングタイムユニットは、ＰＯ、又はＰＯにおける一部のタイムユニットを含む。
【００９１】
本発明の実施例の上記ページングメッセージの送信装置は、ソフトウェア機能ユニットの形で実現され、かつ独立した製品として販売または使用されるとき、コンピュータにより読み取り可能な記憶媒体内に記憶されてもよい。このような理解のもと、本発明の考案は、本質的に、又は、従来技術に対して貢献をもたらした部分又は該考案の一部は、ソフトウェア製品の形式で具現することができ、このようなコンピュータソフトウェア製品は、記憶媒体に記憶しても良く、また、コンピュータ設備（パソコン、サーバ、又はネットワーク装置など）に、本発明の各実施例に記載の方法の全部又は一部のステップを実行させるための若干の命令を含む。前記の記憶媒体は、Ｕディスク、リムーバブルハードディスク、読み出し専用メモリ（ＲＯＭ：Ｒｅａｄ−ｏｎｌｙ  Ｍｅｍｏｒｙ）、ディスク、又は光ディスクなど、プログラムコードを記憶可能な各種の媒体を含む。従って、本発明の実施例は、如何なる特定のハードウェアとソフトウェアの組み合わせにも限定されない。
【００９２】
なお、本発明の実施例は、コンピュータによる実行可能な命令が記憶されているコンピュータ記憶媒体を更に提供し、該コンピュータによる実行可能な命令がプロセッサにより実行される時、上記ページングメッセージの送信方法を実現させる。
【００９３】
図１２は、本発明の実施例による端末の構成を示す模式図である。図１２に示すように、端末２００は、１つ又は複数の（図面には１つのみが示される）プロセッサ１２０２（プロセッサ１２０２は、マイクロプロセッサ（ＭＣＵ：Ｍｉｃｒｏ  Ｃｏｎｔｒｏｌｌｅｒ  Ｕｎｉｔ）又はプログラマブルロジックデバイス（ＦＰＧＡ：Ｆｉｅｌｄ  Ｐｒｏｇｒａｍｍａｂｌｅ  Ｇａｔｅ  Ａｒｒａｙ）等の処理装置を含んでもよいが、これに限定されない）、データを記憶するためのメモリ１２０４、及び通信のための伝送装置１２０６を備えてもよい。図１２に示した構成は模式的なものに過ぎず、上記電子装置の構成を限定するものではないことは、当業者であれば、理解すべきである。例えば、端末２００は、図１２に示したものより多くユニット又は少ないユニットを備えてもよいし、図１２に示したものと異なる構成を備えてもよい。
【００９４】
メモリ１２０４は、本発明の実施例におけるページングメッセージの送信方法に対応するプログラム命令／モジュールのようなアプリケーションのソフトウェアプログラム及びモジュールを記憶するためのものである。プロセッサ１２０２は、メモリ１２０４に記憶されているソフトウェアプログラム及びモジュールを実行することで、様々な機能の適用及びデータ処理を実行し、つまり上記方法を実現させる。メモリ１２０４は、高速ランダムメモリを含んでもよいし、１つ又は複数の磁気記憶装置、フラッシュメモリ、その他の不揮発性固体記憶装置のような不揮発性メモリを含んでもよい。幾つかの実例において、メモリ１２０４は、プロセッサ１２０２に対して遠隔に設けられるメモリを更に含んでもよい。これらのリモートメモリは、ネットワークを介して端末２００に接続される。上記ネットワークは、インターネット、イントラネット、ローカルエリアネットワーク、移動体通信ネットワーク及びこれらの組み合わせを含むが、これらに限定されない。
【００９５】
伝送装置１２０６は、ネットワークを介してデータを送受信するように構成される。上記ネットワークの具体的な実例は、端末２００の通信業者により提供される無線ネットワークを含んでもよい。一実例において、伝送装置１２０６は、ネットワークアダプタデバイス（ＮＩＣ：Ｎｅｔｗｏｒｋ  Ｉｎｔｅｒｆａｃｅ  Ｃｏｎｔｒｏｌｌｅｒ）を含み、それは、基地局を介して他のネットワーク装置と接続することで、インターネットと通信することができる。一実例において、伝送装置１２０６は、無線方式でインターネットと通信するための無線周波数（ＲＦ：Ｒａｄｉｏ  Ｆｒｅｑｕｅｎｃｙ）モジュールであってもよい。
【００９６】
本発明の実施例に記載の考案は、矛盾しない限り、任意に組み合わせすることができる。
【００９７】
本発明で提供する幾つかの実施例で開示した方法及びインテリジェント装置は、他の方式によって実現できることを理解すべきである。以上に記載した装置の実施例はただ例示的なもので、例えば、前記ユニットの分割はただロジック機能の分割で、実際に実現する時は他の分割方式によってもよい。例えば、複数のユニット又は組立体を組み合わせてもよいし、別のシステムに組み込んでもよい。又は若干の特徴を無視してもよいし、実行しなくてもよい。また、示したか或いは検討した相互間の結合又は直接的な結合又は通信接続は、幾つかのインターフェイス、装置又はユニットによる間接的な結合又は通信接続であってもよく、電気的、機械的または他の形態であってもよい。
【００９８】
分離部材として説明した該ユニットは、物理的に別個のものであってもよいし、そうでなくてもよい。ユニットとして示された部材は、物理的ユニットであってもよいし、そうでなくてもよい。即ち、同一の位置に位置してもよいし、複数のネットワークに分布してもよい。実際の需要に応じてそのうちの一部又は全てのユニットにより本実施例の方策の目的を実現することができる。
【００９９】
また、本発明の各実施例における各機能ユニットは一つの第２処理ユニットに集積されてもよいし、各ユニットが物理的に別個のものとして存在してもよいし、２つ以上のユニットが一つのユニットに集積されてもよい。上記集積したユニット、ハードウェアの形で実現してもよいし、ハードウェアとソフトウェアユニットの組み合わせという形で実現してもよい。
【０１００】
以上は本発明の具体的な実施形態に過ぎず、本発明の保護の範囲はそれらに制限されるものではなく、当業者が本発明に開示された技術範囲内で容易に想到しうる変更や置換はいずれも、本発明の保護範囲内に含まれるべきである。
【図１】
2021511693.tif 000004
【図２】
2021511693.tif 000005
【図３】
2021511693.tif 000006
【図４】
2021511693.tif 000007
【図５】
2021511693.tif 000008
【図６】
2021511693.tif 000009
【図７】
2021511693.tif 000010
【図８】
2021511693.tif 000011
【図９】
2021511693.tif 000012
【図１０】
2021511693.tif 000013
【図１１】
2021511693.tif 000014
【図１２】
2021511693.tif 000015
【手続補正書】
【提出日】令和2年11月5日(2020.11.5)
【手続補正１】
【補正対象書類名】特許請求の範囲
【補正対象項目名】全文
【補正方法】変更
【補正の内容】
【特許請求の範囲】
【請求項１】
ページングメッセージの送信方法であって、
ネットワークが、ページング構成パラメータに基づいて、ページングメッセージの最大ページングＵＥ数量を決定し、前記ページング構成パラメータが、ページングタイムユニットの構成情報と、ページングタイムユニットに対応する最大ページングＵＥ数量情報とを含み、ここで、前記ページングタイムユニットが、少なくとも、第１タイプのページングタイムユニットと、第２タイプのページングタイムユニットとを含み、各タイプのページングタイムユニットがそれぞれ、各々の最大ページングＵＥ数量に対応することと、
前記ネットワークが、前記ページング構成パラメータに基づいてページングメッセージを送信することと、を含む、前記方法。
【請求項２】
前記第１タイプのページングタイムユニットと前記第２タイプのページングタイムユニットとに対応する最大ページングＵＥ数量は異なることを特徴とする
請求項１に記載の方法。
【請求項３】
前記第１タイプのページングタイムユニットは、第１時間周波数リソースタイプに対応し、前記第２タイプのページングタイムユニットは、第２時間周波数リソースタイプに対応することを特徴とする
請求項１に記載の方法。
【請求項４】
前記第１時間周波数リソースタイプに対応する時間周波数リソースの大きさは、前記第２時間周波数リソースタイプに対応する時間周波数リソースの大きさと異なるか、
及び／又は、
前記第１時間周波数リソースタイプとＳＳ  ｂｌｏｃｋの時間周波数リソースとの多重化方式は、前記第２時間周波数リソースタイプとＳＳ  ｂｌｏｃｋの時間周波数リソースとの多重化方式と異なることを特徴とする
請求項３に記載の方法。
【請求項５】
前記第２タイプのページングタイムユニットが第２時間周波数リソースタイプに対応することは、
ＳＳ  ｂｌｏｃｋを送信しないｎｏｍｉｎａｌ  ｒｅｓｏｕｒｃｅの所在するシンボルにおいて、第２タイプのページングタイムユニットに対応する時間周波数リソースが、前記ｎｏｍｉｎａｌ  ｒｅｓｏｕｒｃｅの所在する時間周波数リソースを含んでもよいことを含むことを特徴とする
請求項３又は４に記載の方法。
【請求項６】
ページングメッセージ受信方法であって、
端末が、ネットワークによりページング構成パラメータに基づいて送信されたページングメッセージを受信し、ここで、前記ページング構成パラメータが、ページングメッセージの最大ページングＵＥ数量を決定するためのものであり、前記ページング構成パラメータが、ページングタイムユニットの構成情報と、ページングタイムユニットに対応する最大ページングＵＥ数量情報とを含み、ここで、前記ページングタイムユニットが、少なくとも、第１タイプのページングタイムユニットと、第２タイプのページングタイムユニットとを含み、各タイプのページングタイムユニットがそれぞれ、各々の最大ページングＵＥ数量に対応することを含む、前記方法。
【請求項７】
前記第１タイプのページングタイムユニットと前記第２タイプのページングタイムユニットとに対応する最大ページングＵＥ数量は異なることを特徴とする
請求項６に記載の方法。
【請求項８】
前記第１タイプのページングタイムユニットは、第１時間周波数リソースタイプに対応し、前記第２タイプのページングタイムユニットは、第２時間周波数リソースタイプに対応することを特徴とする
請求項６に記載の方法。
【請求項９】
前記第１時間周波数リソースタイプに対応する時間周波数リソースの大きさは、前記第２時間周波数リソースタイプに対応する時間周波数リソースの大きさと異なるか、
及び／又は、
前記第１時間周波数リソースタイプとＳＳ  ｂｌｏｃｋの時間周波数リソースとの多重化方式は、前記第２時間周波数リソースタイプとＳＳ  ｂｌｏｃｋの時間周波数リソースとの多重化方式と異なることを特徴とする
請求項８に記載の方法。
【請求項１０】
前記第２タイプのページングタイムユニットが第２時間周波数リソースタイプに対応することは、
ＳＳ  ｂｌｏｃｋを送信しないｎｏｍｉｎａｌ  ｒｅｓｏｕｒｃｅの所在するシンボルにおいて、第２タイプのページングタイムユニットに対応する時間周波数リソースが、前記ｎｏｍｉｎａｌ  ｒｅｓｏｕｒｃｅの所在する時間周波数リソースを含んでもよいことを含むことを特徴とする
請求項８又は９に記載の方法。
【請求項１１】
前記ページングタイムユニットは、ＰＯ、又はＰＯにおける一部のタイムユニットを含むことを特徴とする
請求項６から１０のいずれか一項に記載の方法。
【請求項１２】
ページングメッセージの送信装置であって、
ネットワークによりページング構成パラメータに基づいて送信されたページングメッセージを受信するように構成され、ここで、前記ページング構成パラメータが、ページングメッセージの最大ページングＵＥ数量を決定するためのものであり、前記ページング構成パラメータが、ページングタイムユニットの構成情報と、ページングタイムユニットに対応する最大ページングＵＥ数量情報とを含み、ここで、前記ページングタイムユニットが、少なくとも、第１タイプのページングタイムユニットと、第２タイプのページングタイムユニットとを含み、各タイプのページングタイムユニットがそれぞれ、各々の最大ページングＵＥ数量に対応する受信ユニットを備える、前記装置。
【請求項１３】
前記第１タイプのページングタイムユニットと前記第２タイプのページングタイムユニットとに対応する最大ページングＵＥ数量は異なることを特徴とする
請求項１２に記載の装置。
【請求項１４】
前記第１タイプのページングタイムユニットは、第１時間周波数リソースタイプに対応し、前記第２タイプのページングタイムユニットは、第２時間周波数リソースタイプに対応することを特徴とする
請求項１２に記載の装置。
【請求項１５】
前記第１タイプのページングタイムユニットが第１時間周波数リソースタイプに対応することは、
ＳＳ  ｂｌｏｃｋを送信するｎｏｍｉｎａｌ  ｒｅｓｏｕｒｃｅの所在するシンボルにおいて、第１タイプのページングタイムユニットに対応する時間周波数リソースが前記ｎｏｍｉｎａｌ  ｒｅｓｏｕｒｃｅと周波数分割されることを含むことを特徴とする
請求項１４に記載の装置。
【国際調査報告】
2021511693.tif 000016
2021511693.tif 000017
2021511693.tif 000018
2021511693.tif 000019